(57)【要約】【課題】再生モード中に撮影レンズが操作されることによって焦点距離やピント位置等が変わってしまうと、撮影モードへの復帰時にこれを元に戻すことが容易ではない。【解決手段】撮影レンズは、その操作部材に対する操作に連動して可動レンズを光軸方向に移動させる手段と、レンズ系内の可動レンズの位置を検出する手段と、撮影モードから再生モードへの切替直前に検出された可動レンズの目標位置情報を記憶する手段とを有する。装置本体は、撮影レンズの操作に応じて表示画面上の再生画像の表示を変更する手段と、撮影レンズから可動レンズの位置情報を取得する手段とを有し、撮影モードへ切り替えられると、撮影レンズから可動レンズの目標位置情報及び現在位置情報を取得し、撮影モード中、取得された目標位置情報及び現在位置情報に基づいて可動レンズの目標情報と現在情報との関係を示す表示を行う。【選択図】図２
2018004836.tif 000002
【特許請求の範囲】
【請求項１】
撮影モードと再生モードとを切替可能な装置本体と、該装置本体に着脱可能に又は着脱不能に取り付けられた撮影レンズとを備える撮影装置において、
前記撮影レンズは、
操作部材と、
可動レンズを含むレンズ系と、
前記操作部材に対する操作に連動して前記レンズ系内で前記可動レンズを光軸方向に移動させる移動手段と、
前記レンズ系内の前記可動レンズの位置を検出する検出手段と、
前記撮影モードから前記再生モードへの切替直前に前記検出手段により検出された可動レンズの位置情報である目標位置情報を記憶する記憶手段と、
を有し、
前記装置本体は、
前記撮影モード中、前記撮影レンズを介した被写体像を撮像する撮像手段と、
前記再生モード中、前記撮影レンズの操作部材に対する操作に応じて表示画面上の再生画像の表示を変更する表示手段と、
前記撮影レンズから前記可動レンズの位置情報を取得する取得手段と、
を有し、
前記取得手段は、
前記再生モードから前記撮影モードに切り替えられると、前記撮影レンズの記憶手段に記憶された目標位置情報を取得すると共に、前記検出手段により検出される可動レンズの現在位置情報を逐次取得し、
前記表示手段は、
前記撮影モード中、前記取得手段により取得された目標位置情報及び該取得手段により逐次取得される現在位置情報に基づいて、前記可動レンズの目標情報と現在情報との関係を示す表示を行う、
撮影装置。
【請求項２】
前記装置本体は、
所定の記憶コマンドが前記撮影レンズに未送信であるとき、該記憶コマンドを前記撮影レンズに送信し、
前記撮影レンズは、
前記記憶コマンドを受信すると、前記記憶手段が前記撮影モード中に前記検出手段により検出される可動レンズの位置を逐次更新記憶し、
前記装置本体は、
前記記憶コマンドを前記撮影レンズに送信済みであるとき、前記再生モードから前記撮影モードに切り替えられると、前記取得手段が所定の取得要求コマンドを前記撮影レンズに送信し、
前記撮影レンズは、
前記取得要求コマンドを受信すると、前記撮影モード中に最後に更新記憶された位置情報である目標位置情報を前記装置本体に送信すると共に、前記検出手段により検出される可動レンズの現在位置情報を逐次送信し、
前記装置本体は、
前記撮影モード中、前記表示手段が、前記撮影レンズより受信した前記目標位置情報に基づいて目標情報を表示すると共に、該撮影レンズより逐次受信される前記現在位置情報に基づいて現在情報を逐次更新表示する、
請求項１に記載の撮影装置。
【請求項３】
撮影モードと再生モードとを切替可能な装置本体と、該装置本体に着脱可能に又は着脱不能に取り付けられた撮影レンズとを備える撮影装置において、
前記撮影レンズは、
操作部材と、
可動レンズを含むレンズ系と、
前記操作部材に対する操作に連動して前記レンズ系内で前記可動レンズを光軸方向に移動させる移動手段と、
前記レンズ系内の前記可動レンズの位置を検出する検出手段と、
を有し、
前記装置本体は、
前記撮影モードから前記再生モードへの切替直前に前記検出手段により検出された可動レンズの位置情報である目標位置情報を前記撮影レンズから取得して記憶する記憶手段と、
前記撮影モード中、前記撮影レンズを介した被写体像を撮像する撮像手段と、
前記再生モード中、前記撮影レンズの操作部材に対する操作に応じて表示画面上の再生画像の表示を変更する表示手段と、
前記撮影レンズから前記可動レンズの位置情報を取得する取得手段と、
を有し、
前記取得手段は、
前記再生モードから前記撮影モードに切り替えられると、前記記憶手段に記憶された目標位置情報を取得すると共に、前記検出手段により検出される可動レンズの現在位置情報を逐次取得し、
前記表示手段は、
前記撮影モード中、前記取得手段により取得された目標位置情報及び該取得手段により逐次取得される現在位置情報に基づいて、前記可動レンズの目標情報と現在情報との関係を示す表示を行う、
撮影装置。
【請求項４】
前記可動レンズは、
フォーカスレンズ、ズームレンズの少なくとも一方を含み、
前記可動レンズに前記フォーカスレンズが含まれる場合には、該可動レンズの位置情報として、前記撮影レンズのピント位置の情報が含まれ、
前記可動レンズに前記ズームスレンズが含まれる場合には、該可動レンズの位置情報として、前記撮影レンズの焦点距離の情報が含まれる、
請求項１から請求項３の何れか一項に記載の撮影装置。
【請求項５】
前記装置本体の表示手段は、
前記取得手段により取得された目標置情報と、該取得手段により逐次取得される現在位置情報とが一致したとき、これを報知する、
請求項１から請求項４の何れか一項に記載の撮影装置。
【請求項６】
前記装置本体は、
前記再生モードから前記撮影モードへの切り替え時に特定の操作が行われたか否かを判定する判定手段
を有し、
前記取得手段は、
前記判定手段により前記特定の操作が行われたと判定された場合に限り、前記撮影レンズの記憶手段に記憶された目標位置情報を取得すると共に、前記検出手段により検出される可動レンズの現在位置情報を逐次取得する、
請求項１から請求項５の何れか一項に記載の撮影装置。
【請求項７】
撮影モードと再生モードとを切替可能であり、撮影レンズを着脱可能な装置本体において、
前記撮影モード中、前記撮影レンズを介した被写体像を撮像する撮像手段と、
前記再生モード中、前記撮影レンズが有する操作部材であって、該撮影レンズ内で可動レンズを光軸方向に移動させる操作部材が操作されると、該操作に応じて表示画面上の再生画像の表示を変更する表示手段と、
前記撮影レンズから前記可動レンズの位置情報を取得する取得手段と、
を有し、
前記取得手段は、
前記再生モードから前記撮影モードに切り替えられると、前記撮影モードから前記再生モードへの切替直前に前記撮影レンズに記憶された目標位置情報を取得すると共に、前記撮影レンズで検出される可動レンズの現在位置情報を逐次取得し、
前記表示手段は、
前記撮影モード中、前記取得手段により取得された目標位置情報及び該取得手段により逐次取得される現在位置情報に基づいて、前記可動レンズの目標情報と現在情報との関係を示す表示を行う、
装置本体。
【請求項８】
撮影モードと再生モードとを切替可能な撮影装置において、
操作部材と、
可動レンズを含むレンズ系と、
前記操作部材に対する操作に連動して前記レンズ系内で前記可動レンズを光軸方向に移動させる移動手段と、
前記レンズ系内の前記可動レンズの位置を検出する検出手段と、
前記撮影モードから前記再生モードへの切替直前に前記検出手段により検出された可動レンズの位置情報である目標位置情報を記憶する記憶手段と、
前記再生モードから前記撮影モードに切り替えられると、前記記憶手段に記憶された目標位置情報を取得すると共に、前記検出手段により検出される可動レンズの現在位置情報を逐次取得する取得手段と、
前記撮影モード中、前記取得手段により取得された目標位置情報及び該取得手段により逐次取得される現在位置情報に基づいて、前記可動レンズの目標情報と現在情報との関係を示す情報を別の装置の表示画面に出力する出力手段と、
を備える、
撮影装置。
【請求項９】
撮影モードと該撮影モード以外の別のモードとを切替可能な撮影装置であって、
可動レンズを有する撮影レンズから、該撮影レンズ内の該可動レンズの位置情報を取得する取得手段と、
前記撮影モードから前記別のモードに切り替えられた時の、前記撮影レンズ内の前記可動レンズの位置情報を記憶する記憶手段と、
前記別のモードから前記撮影モードに切り替えられたとき、前記記憶手段に記憶された位置情報に関する表示を行う表示手段と、
を備える、
撮影装置。
【発明の詳細な説明】
【技術分野】
【０００１】
本発明は、装置本体及び装置本体と撮影レンズを有する撮影装置に関する。
【背景技術】
【０００２】
ユーザは、デジタルカメラにおいて撮影画像の再生モード中、カメラボディに配置されているボタンやダイヤル等の操作部材を操作することにより、再生画像の送りや戻し、拡大、縮小等を行うことができる。しかし、この種の操作部材は、スペースの関係上、小型で且つ密に配置されているため、ユーザが手袋を着用しているときや暗所等では操作性が悪い。
【０００３】
そこで、デジタル一眼レフカメラ等の一部の撮影装置では、再生モード中、撮影レンズの鏡筒に設けられたズーム操作環やフォーカス操作環を操作することにより、再生画像の送りや戻し、拡大、縮小等を行うことが可能になっている。この種の撮影装置の具体的構成は、例えば特許文献１に記載されている。
【先行技術文献】
【特許文献】
【０００４】
【特許文献１】特開２００５−１５１３４９号公報
【発明の概要】
【発明が解決しようとする課題】
【０００５】
特許文献１をはじめとする従来知られている撮影装置では、再生モード中にズーム操作環やフォーカス操作環を操作して再生画像の送り等を行うと、撮影レンズの焦点距離やピント位置が変わってしまう。そのため、再生モードから撮影モードに復帰したとき、撮影レンズの焦点距離やピント位置を前回の撮影モード時に設定されていた焦点距離やピント位置に戻すことが難しいという問題が指摘される。
【０００６】
本発明は上記の事情に鑑みてなされたものであり、その目的とするところは、再生モード中に撮影レンズが操作されることによって焦点距離やピント位置等が変わってしまった場合であっても、撮影モードへの復帰時に焦点距離やピント位置等を元に戻すのに好適な撮影装置及び装置本体を提供することである。
【課題を解決するための手段】
【０００７】
本発明の一実施形態に係る撮影装置は、撮影モードと再生モードとを切替可能な装置本体と、該装置本体に着脱可能に又は着脱不能に取り付けられた撮影レンズとを備える。撮影レンズは、操作部材と、可動レンズを含むレンズ系と、操作部材に対する操作に連動してレンズ系内で可動レンズを光軸方向に移動させる移動手段と、レンズ系内の可動レンズの位置を検出する検出手段と、撮影モードから再生モードへの切替直前に検出手段により検出された可動レンズの位置情報である目標位置情報を記憶する記憶手段とを有する。装置本体は、撮影モード中、撮影レンズを介した被写体像を撮像する撮像手段と、再生モード中、撮影レンズの操作部材に対する操作に応じて表示画面上の再生画像の表示を変更する表示手段と、撮影レンズから可動レンズの位置情報を取得する取得手段とを有する。取得手段は、再生モードから撮影モードに切り替えられると、撮影レンズの記憶手段に記憶された目標位置情報を取得すると共に、検出手段により検出される可動レンズの現在位置情報を逐次取得する。表示手段は、撮影モード中、取得手段により取得された目標位置情報及び該取得手段により逐次取得される現在位置情報に基づいて、可動レンズの目標情報と現在情報との関係を示す表示を行う。
【０００８】
また、本発明の一実施形態において、装置本体は、所定の記憶コマンドが撮影レンズに未送信であるとき、該記憶コマンドを撮影レンズに送信する構成としてもよい。この場合、撮影レンズは、記憶コマンドを受信すると、記憶手段が撮影モード中に検出手段により検出される可動レンズの位置を逐次更新記憶する。また、装置本体は、記憶コマンドを撮影レンズに送信済みであるとき、再生モードから撮影モードに切り替えられると、取得手段が所定の取得要求コマンドを撮影レンズに送信する構成としてもよい。撮影レンズは、取得要求コマンドを受信すると、撮影モード中に最後に更新記憶された位置情報である目標位置情報を装置本体に送信すると共に、検出手段により検出される可動レンズの現在位置情報を逐次送信する。装置本体は、撮影モード中、表示手段が、撮影レンズより受信した目標位置情報に基づいて目標情報を表示すると共に、該撮影レンズより逐次受信される現在位置情報に基づいて現在情報を逐次更新表示する。
【０００９】
また、本発明の一実施形態に係る撮影装置は、撮影モードと再生モードとを切替可能な装置本体と、該装置本体に着脱可能に又は着脱不能に取り付けられた撮影レンズとを備える。撮影レンズは、操作部材と、可動レンズを含むレンズ系と、操作部材に対する操作に連動してレンズ系内で可動レンズを光軸方向に移動させる移動手段と、レンズ系内の可動レンズの位置を検出する検出手段とを有する。装置本体は、撮影モードから再生モードへの切替直前に検出手段により検出された可動レンズの位置情報である目標位置情報を撮影レンズから取得して記憶する記憶手段と、撮影モード中、撮影レンズを介した被写体像を撮像する撮像手段と、再生モード中、撮影レンズの操作部材に対する操作に応じて表示画面上の再生画像の表示を変更する表示手段と、撮影レンズから可動レンズの位置情報を取得する取得手段とを有する。取得手段は、再生モードから撮影モードに切り替えられると、記憶手段に記憶された目標位置情報を取得すると共に、検出手段により検出される可動レンズの現在位置情報を逐次取得する。表示手段は、撮影モード中、取得手段により取得された目標位置情報及び該取得手段により逐次取得される現在位置情報に基づいて、可動レンズの目標情報と現在情報との関係を示す表示を行う。
【００１０】
また、本発明の一実施形態において、可動レンズは、フォーカスレンズを含む構成としてもよい。この場合、可動レンズの位置情報には、撮影レンズのピント位置の情報が含まれる。
【００１１】
また、本発明の一実施形態において、可動レンズは、ズームレンズを含む構成としてもよい。この場合、可動レンズの位置情報には、撮影レンズの焦点距離の情報が含まれる。
【００１２】
また、本発明の一実施形態において、装置本体の表示手段は、取得手段により取得された目標置情報と、該取得手段により逐次取得される現在位置情報とが一致したとき、これを報知する構成としてもよい。
【００１３】
また、本発明の一実施形態において、装置本体は、再生モードから撮影モードへの切り替え時に特定の操作が行われたか否かを判定する判定手段を有する構成としてもよい。この場合、取得手段は、判定手段により特定の操作が行われたと判定された場合に限り、撮影レンズの記憶手段に記憶された目標位置情報を取得すると共に、検出手段により検出される可動レンズの現在位置情報を逐次取得する。
【００１４】
また、本発明の一実施形態に係る装置本体は、撮影モードと再生モードとを切替可能であり、撮影レンズを着脱可能に構成されており、撮影モード中、撮影レンズを介した被写体像を撮像する撮像手段と、再生モード中、撮影レンズが有する操作部材であって、該撮影レンズ内で可動レンズを光軸方向に移動させる操作部材が操作されると、該操作に応じて表示画面上の再生画像の表示を変更する表示手段と、撮影レンズから可動レンズの位置情報を取得する取得手段とを有する。取得手段は、再生モードから撮影モードに切り替えられると、撮影モードから再生モードへの切替直前に撮影レンズに記憶された目標位置情報を取得すると共に、撮影レンズで検出される可動レンズの現在位置情報を逐次取得する。表示手段は、撮影モード中、取得手段により取得された目標位置情報及び該取得手段により逐次取得される現在位置情報に基づいて、可動レンズの目標情報と現在情報との関係を示す表示を行う。
【００１５】
また、本発明の一実施形態に係る撮影装置は、撮影モードと再生モードとを切替可能であり、操作部材と、可動レンズを含むレンズ系と、操作部材に対する操作に連動してレンズ系内で可動レンズを光軸方向に移動させる移動手段と、レンズ系内の可動レンズの位置を検出する検出手段と、撮影モードから再生モードへの切替直前に検出手段により検出された可動レンズの位置情報である目標位置情報を記憶する記憶手段と、再生モードから撮影モードに切り替えられると、記憶手段に記憶された目標位置情報を取得すると共に、検出手段により検出される可動レンズの現在位置情報を逐次取得する取得手段と、撮影モード中、取得手段により取得された目標位置情報及び該取得手段により逐次取得される現在位置情報に基づいて、可動レンズの目標情報と現在情報との関係を示す情報を別の装置の表示画面に出力する出力手段とを備える。
【００１６】
また、本発明の一実施形態に係る撮影装置は、撮影モードと該撮影モード以外の別のモードとを切替可能であり、可動レンズを有する撮影レンズから、該撮影レンズ内の該可動レンズの位置情報を取得する取得手段と、撮影モードから別のモードに切り替えられた時の、撮影レンズ内の可動レンズの位置情報を記憶する記憶手段と、別のモードから撮影モードに切り替えられたとき、記憶手段に記憶された位置情報に関する表示を行う表示手段とを備える。
【発明の効果】
【００１７】
本発明の一実施形態によれば、再生モード中に撮影レンズが操作されることによって焦点距離やピント位置等が変わってしまった場合であっても、撮影モードへの復帰時に焦点距離やピント位置等を元に戻すのに好適な撮影装置及び装置本体が提供される。
【図面の簡単な説明】
【００１８】
【図１】本発明の一実施形態に係る撮影装置の構成を示すブロック図である。
【図２】本発明の一実施形態において実行されるレンズ情報表示処理のフローチャートを示す図である。
【図３】図２の処理ステップＳ２１の詳細なフローを示す図である。
【図４】図２の処理ステップＳ２１の実行時に表示されるレンズ情報の表示画面例を示す図である。
【図５】本発明の別の一実施形態において実行されるレンズ情報表示処理のフローチャートを示す図である。
【発明を実施するための形態】
【００１９】
以下、本発明の一実施形態に係る撮影装置について図面を参照しながら説明する。以下においては、本発明の一実施形態として、デジタル一眼レフカメラについて説明する。なお、撮影装置は、デジタル一眼レフカメラに限らず、例えば、ミラーレス一眼カメラ、アタッチメント等を用いることによって撮影レンズを着脱可能なスマートフォン、コンパクトデジタルカメラ、ビデオカメラ、カムコーダなど、撮影モードと再生モードとを切替可能であり且つ着脱可能又は着脱不能に取り付けられた撮影レンズを備える別の形態の装置に置き換えてもよい。
【００２０】
［撮影装置１の構成］
図１は、本発明の一実施形態に係る撮影装置１の構成を示すブロック図である。図１に示されるように、撮影装置１は、装置本体（カメラボディ）１００及びカメラボディ１００に着脱可能に取り付けられた撮影レンズ２００を備えている。
【００２１】
カメラボディ１００は、カメラＣＰＵ（Central Processing Unit）１０４、操作部１０６、ＲＯＭ（Read Only Memory）１０８、シャッタ１１０、固体撮像素子１１２、信号処理回路１１４、画像処理エンジン１１６、バッファメモリ１１８、カード用インタフェース１２０、ＬＣＤ（Liquid Crystal Display）制御回路１２２、ＬＣＤ１２４を有している。
【００２２】
撮影レンズ２００は、レンズＣＰＵ２０４、レンズ系２０６、絞り２０８、ズーム操作環２１０ａ、フォーカス操作環２１０ｂ、ズーム位置センサ２１２ａ、フォーカス位置センサ２１２ｂ、駆動部２１４を有している。レンズ系２０６は、光軸ＡＸ方向に移動可能な可動レンズ（ズームレンズ２０６ａ及びフォーカスレンズ２０６ｂ）を含む複数枚構成となっている。レンズ系２０６は、要求される仕様に応じて３枚以上の構成であってもよい。
【００２３】
カメラＣＰＵ１０４は、通信部１０４ａ及び内部メモリ１０４ｂを有しており、レンズＣＰＵ２０４は、通信部２０４ａ及び内部メモリ２０４ｂを有している。カメラＣＰＵ１０４とレンズＣＰＵ２０４は、互いの通信部を介して通信することができる。
【００２４】
カメラボディ１００の操作部１０６には、電源スイッチやレリーズスイッチ、撮影モードスイッチ、撮影・再生切替スイッチ、ズームスイッチなど、ユーザが撮影装置１を操作するために必要な各種スイッチが含まれる。ユーザにより電源スイッチが押下されると、図示省略されたバッテリから撮影装置１の各種回路に電源ラインを通じて電源供給が行われる。
【００２５】
カメラＣＰＵ１０４は電源供給後、ＲＯＭ１０８にアクセスして制御プログラムを読み出してワークエリア（不図示）にロードし、ロードされた制御プログラムを実行することにより、撮影装置１全体の制御を行う。
【００２６】
例えばズームスイッチが押下されると、カメラＣＰＵ１０４は、レンズＣＰＵ２０４にズーム制御信号を出力する。レンズＣＰＵ２０４は、カメラＣＰＵ１０４より入力されるズーム制御信号に基づいて駆動部２１４を制御することにより、ズームレンズ２０６ａをレンズ系２０６内の他のレンズに対して光軸ＡＸ方向に相対移動させる。
【００２７】
また、ズーム操作環２１０ａは、撮影レンズ２００の鏡胴周りに設けられている。ユーザによりズーム操作環２１０ａが回転操作されると、ズームレンズ２０６ａは、周知のズーム機構により、レンズ系２０６内の他のレンズに対して光軸ＡＸ方向に相対移動する。
【００２８】
このように、本実施形態では、カメラボディ１００に設けられたズームスイッチを押下又は撮影レンズ２００に設けられたズーム操作環２１０ａを回転操作することにより、ズームレンズ２０６ａがレンズ系２０６内の他のレンズに対して光軸ＡＸ方向に相対移動する。これにより、レンズ系２０６の焦点距離（ズーム、画角）が変化する。
【００２９】
なお、レンズＣＰＵ２０４は、ズーム位置センサ２１２ａの出力に基づき、レンズ系２０６内におけるズームレンズ２０６ａの位置を検出することができる。
【００３０】
また、レリーズスイッチが半押し操作されると、カメラＣＰＵ１０４は、ＡＦ（Autofocus）制御を行う。ＡＦ制御には、アクティブ方式、位相差検出方式、コントラスト検出方式等が適用される。また、ＡＦモードには、中央一点の測距エリアを用いた中央一点測距モード、複数の測距エリアを用いた多点測距モード等がある。カメラＣＰＵ１０４は、ＡＦ結果に基づいてレンズＣＰＵ２０４にフォーカス制御信号を出力する。レンズＣＰＵ２０４は、カメラＣＰＵ１０４より入力されるフォーカス制御信号に基づいて駆動部２１４を制御することにより、フォーカスレンズ２０６ｂをレンズ系２０６内の他のレンズに対して光軸ＡＸ方向に相対移動させる。
【００３１】
また、フォーカス操作環２１０ｂは、撮影レンズ２００の鏡胴周りに設けられている。ユーザによりフォーカス操作環２１０ｂが回転操作されると、フォーカスレンズ２０６ｂは、周知のフォーカス機構により、レンズ系２０６内の他のレンズに対して光軸ＡＸ方向に相対移動する。
【００３２】
このように、本実施形態では、カメラボディ１００に設けられたレリーズスイッチを半押し操作又は撮影レンズ２００に設けられたフォーカス操作環２１０ｂを回転操作することにより、フォーカスレンズ２０６ｂがレンズ系２０６内の他のレンズに対して光軸ＡＸ方向に相対移動する。これにより、レンズ系２０６のピント位置が変化（調節）される。
【００３３】
なお、レンズＣＰＵ２０４は、フォーカス位置センサ２１２ｂの出力に基づき、レンズ系２０６内におけるフォーカスレンズ２０６ｂの位置を検出することができる。
【００３４】
また、カメラＣＰＵ１０４は、例えば、固体撮像素子１１２により撮像された画像に基づいて計算された測光値や、撮影装置１に内蔵された露出計（不図示）で測定された測光値に基づき適正露出が得られるように、シャッタ１１０及び撮影レンズ２００（絞り２０８）を駆動制御する。シャッタ１１０及び絞り２０８の駆動制御は、プログラムＡＥ（Automatic Exposure）、シャッタ優先ＡＥ、絞り優先ＡＥなど、撮影モードスイッチにより指定されるＡＥ機能に基づいて行われる。より詳細には、カメラＣＰＵ１０４は、ＡＥ結果に基づいて、シャッタ１１０を駆動すると共に、レンズＣＰＵ２０４に絞り制御信号を出力する。レンズＣＰＵ２０４は、カメラＣＰＵ１０４より入力される絞り制御信号に基づいて駆動部２１４を制御することにより、絞り２０８を適正な絞り値に達するまで駆動する。
【００３５】
被写体からの光束は、レンズ系２０６、絞り２０８、シャッタ１１０を通過して固体撮像素子１１２の受光面にて受光される。固体撮像素子１１２は、ベイヤ型画素配置を有する単板式カラーＣＣＤ（Charge Coupled Device）イメージセンサである。固体撮像素子１１２は、受光面上の各画素で結像した光学像を光量に応じた電荷として蓄積して、Ｒ（Red）、Ｇ（Green）、Ｂ（Blue）の画像信号を生成して出力する。なお、固体撮像素子１１２は、ＣＣＤイメージセンサに限らず、ＣＭＯＳ（Complementary Metal Oxide Semiconductor）イメージセンサやその他の種類の撮像装置に置き換えられてもよい。固体撮像素子１１２はまた、補色系フィルタを搭載したものであってもよい。
【００３６】
信号処理回路１１４は、固体撮像素子１１２より入力される画像信号に対してクランプ、デモザイク等の所定の信号処理を施して、画像処理エンジン１１６に出力する。画像処理エンジン１１６は、信号処理回路１１４より入力される画像信号に対してマトリックス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。また、撮影画像の保存形式は、ＪＰＥＧ形式に限らず、最小限の画像処理（例えば黒レベルの補正等）しか施されないＲＡＷ形式であってもよい。
【００３７】
カード用インタフェース１２０のカードスロットには、メモリカード３００が着脱可能に差し込まれている。
【００３８】
画像処理エンジン１１６は、カード用インタフェース１２０を介してメモリカード３００と通信可能である。画像処理エンジン１１６は、生成された圧縮画像信号（撮影画像データ）をメモリカード３００（又は撮影装置１に備えられる不図示の内蔵メモリ）に保存する。
【００３９】
また、画像処理エンジン１１６は、生成された輝度信号Ｙ、色差信号Ｃｂ、Ｃｒをフレームメモリ（不図示）にフレーム単位でバッファリングする。画像処理エンジン１１６は、バッファリングされた信号を所定のタイミングで各フレームメモリから掃き出して所定のフォーマットのビデオ信号に変換し、ＬＣＤ制御回路１２２に出力する。ＬＣＤ制御回路１２２は、画像処理エンジン１１６より入力される画像信号を基に液晶を変調制御する。これにより、被写体の撮影画像がＬＣＤ１２４の表示画面に表示される。ユーザは、ＡＥ制御及びＡＦ制御に基づいて適正な露出及びピントで撮影されたリアルタイムのスルー画（ライブビュー）を、ＬＣＤ１２４の表示画面を通じて視認することができる。
【００４０】
カメラボディ１００は、撮影・再生切替スイッチが押下される毎に撮影モードと再生モードに切り替わる。画像処理エンジン１１６は、再生モード中、操作部１０６の操作により指定された撮影画像データをメモリカード３００又は内蔵メモリより読み出して所定のフォーマットの画像信号に変換し、ＬＣＤ制御回路１２２に出力する。ＬＣＤ制御回路１２２が画像処理エンジン１１６より入力される画像信号を基に液晶を変調制御することで、被写体の撮影画像（再生画像）がＬＣＤ１２４の表示画面に表示される。
【００４１】
ユーザは、再生モード中、カメラボディ１００に設けられた操作部１０６だけでなく、ズーム操作環２１０ａやフォーカス操作環２１０ｂを回転操作することによっても、再生画像の送りや戻し、拡大、縮小等を行うことができる。
【００４２】
本実施形態では、例示的に、ズーム操作環２１０ａに再生画像の拡大、縮小が割り当てられている。ズーム操作環２１０ａが第一方向（例えば焦点距離が短くなる方向）に回転操作されると、ＬＣＤ１２４の表示画面内の再生画像が拡大表示され、ズーム操作環２１０ａが第二方向（例えば焦点距離が長くなる方向）に回転操作されると、ＬＣＤ１２４の表示画面内の再生画像が縮小表示される。
【００４３】
また、本実施形態では、例示的に、フォーカス操作環２１０ｂに再生画像の送り、戻しが割り当てられている。フォーカス操作環２１０ｂが第一方向（例えば時計回り方向）に回転操作されると、ＬＣＤ１２４の表示画面内の再生画像が次の再生画像に変更され、フォーカス操作環２１０ｂが第二方向（例えば反時計回り方向）に回転操作されると、ＬＣＤ１２４の表示画面内の再生画像が１つ前の再生画像に変更される。
【００４４】
なお、撮影レンズには、絞りの絞り値を調節するための絞り操作環が設けられているものもある。この場合、絞り操作環の回転操作により、再生画像の送りや戻し、拡大、縮小等が行われるようにしてもよい。
【００４５】
また、カメラボディ１００の操作部１０６を操作することにより、ズーム操作環２１０ａやフォーカス操作環２１０ｂ等の各種操作環に割り当てる機能（再生画像の送りや戻し、拡大、縮小等）を変更できるようにしてもよい。
【００４６】
［レンズ情報表示処理］
次に、本実施形態においてカメラＣＰＵ１０４により実行されるレンズ情報表示処理について説明する。図２に、レンズ情報表示処理のフローチャートを示す。レンズ情報表示処理は、例えば、カメラボディ１００の電源が投入されると実行が開始され、電源が遮断されると実行が終了する。
【００４７】
［図２のＳ１０（モード判定）］
本処理ステップＳ１０では、現在のモードが撮影モードであるか否かが判定される。
【００４８】
［図２のＳ１１（フラグＦ１の判定）］
本処理ステップＳ１１は、処理ステップＳ１０（モード判定）にて現在のモードが撮影モードであると判定された場合（Ｓ１０：ＹＥＳ）に実行される。本処理ステップＳ１１では、フラグＦ１の判定が行われる。フラグＦ１は、撮影装置１は、「０」又は「１」に設定されるものであり、電源投入時等の初期状態では「０」に設定されている。
【００４９】
［図２のＳ１２（装着レンズの判定）］
本処理ステップＳ１２は、処理ステップＳ１１（フラグＦ１の判定）にてフラグＦ１が「０」であると判定された場合（Ｓ１１：０）に実行される。本処理ステップＳ１２では、カメラボディ１００にレンズが装着されているか否か、カメラボディ１００にレンズが装着されている場合には対応レンズ又非対応レンズであるかが判定される。
【００５０】
なお、対応レンズは、レンズ系２０６内におけるズームレンズ２０６ａ及びフォーカスレンズ２０６ｂの位置情報を記憶することが可能なレンズであり、非対応レンズは、レンズ系２０６内におけるズームレンズ２０６ａ及びフォーカスレンズ２０６ｂの位置情報を記憶することができないレンズである。本実施形態に係る撮影レンズ２００は、対応レンズである。
【００５１】
本処理ステップＳ１２にてカメラボディ１００にレンズが装着されていないと判定された場合（Ｓ１２：レンズ無し）、処理ステップＳ１０（モード判定）に戻る。
【００５２】
［図２のＳ１３（記憶コマンドＣ１の送信）］
本処理ステップＳ１３は、処理ステップＳ１２（装着レンズの判定）にてカメラボディ１００に対応レンズが装着されていると判定された場合（Ｓ１２：対応レンズ）に実行される。本処理ステップＳ１３では、記憶コマンドＣ１がレンズＣＰＵ２０４に送信されると共に、フラグＦ１が「１」に設定される。
【００５３】
レンズＣＰＵ２０４は、カメラＣＰＵ１０４により記憶コマンドＣ１を受信すると、ズーム位置センサ２１２ａの出力に基づいてレンズ系２０６内におけるズームレンズ２０６ａの位置情報を逐次（例えば数msec毎に）検出すると共に、フォーカス位置センサ２１２ｂの出力に基づいてレンズ系２０６内におけるフォーカスレンズ２０６ｂの位置情報を逐次検出し、検出された各種レンズ位置情報を内部メモリ２０４ｂに逐次更新記憶する。
【００５４】
［図２のＳ１４（レンズ位置情報の取得）］
本処理ステップＳ１４は、処理ステップＳ１２（装着レンズの判定）にてカメラボディ１００に非対応レンズが装着されていると判定された場合（Ｓ１２：非対応レンズ）に実行される。非対応レンズでは、レンズＣＰＵ２０４により、ズームレンズ２０６ａ、フォーカスレンズ２０６ｂの各種レンズ位置情報が各種位置センサの出力に基づいて逐次検出され、検出された各種レンズ位置情報がカメラＣＰＵ１０４に逐次送信される。本処理ステップＳ１４では、逐次送信される各種レンズ位置情報がカメラＣＰＵ１０４の内部メモリ１０４ｂに逐次更新記憶されると共に、フラグＦ１が「１」に設定される。
【００５５】
［図２のＳ１５（モード判定）］
本処理ステップＳ１５は、本処理ステップＳ１３（記憶コマンドＣ１の送信）又はＳ１４（レンズ位置情報の取得）の実行後に実行される。本処理ステップＳ１５では、現在のモードが再生モードであるか否かが判定される。
【００５６】
撮影モードから再生モードへの切り替えが行われたことにより、本処理ステップＳ１５にて現在のモードが再生モードであると判定される場合（Ｓ１５：ＹＥＳ）、処理ステップＳ１０（モード判定）に戻る。本処理ステップＳ１５にて現在のモードが再生モードでない（言い換えると、撮影モードである）と判定された場合（Ｓ１５：ＮＯ）、処理ステップＳ１２（装着レンズの判定）に戻る。すなわち、撮影モードから再生モードに切り替えられることにより、本処理ステップＳ１５にてＹＥＳ判定となるまで、処理ステップＳ１２、Ｓ１３（又はＳ１４）及びＳ１５は繰り返し実行される。従って、処理ステップＳ１３（記憶コマンドＣ１の送信）の実行時には、再生モードへの切替直前の各種レンズ位置情報がレンズＣＰＵ２０４の内部メモリ２０４ｂに記憶され、処理ステップＳ１４（レンズ位置情報の取得）の実行時には、再生モードへの切替直前の各種レンズ位置情報がカメラＣＰＵ１０４の内部メモリ１０４ｂに記憶される。
【００５７】
再生モード中に再生画像の送り等を行うため、ズーム操作環２１０ａやフォーカス操作環２１０ｂが回転操作された場合を考える。この場合、撮影モードに復帰すると、再生モード中のズーム操作環２１０ａやフォーカス操作環２１０ｂの回転操作により、撮影レンズ２００の焦点距離やピント位置が前回の撮影モード時（再生モードへの切替直前）から変わっている。このように変わってしまった焦点距離やピント位置を、ユーザが記憶を頼りに正確に戻すことは容易ではない。
【００５８】
そこで、本実施形態では、再生モードへの切替直前の各種レンズ位置情報がレンズＣＰＵ２０４の内部メモリ２０４ｂやカメラＣＰＵ１０４の内部メモリ１０４ｂに記憶されている。以下、説明の便宜上、再生モードへの切替直前のレンズ位置情報を「目標位置情報」と記す。
【００５９】
［図２のＳ１６（特定の操作の判定）］
本処理ステップＳ１６は、処理ステップＳ１１（フラグＦ１の判定）にてフラグＦ１が「１」であると判定された場合（Ｓ１１：１）に実行される。本処理ステップＳ１６では、再生モードから撮影モードへの切り替え時（撮影・再生切替スイッチの押下時）に特定の操作が行われていたか否かが判定される。特定の操作としては、例示的には、撮影・再生切替スイッチを押下すると共に他の操作部材（方向キーや機能ボタン等）も押下する、撮影・再生切替スイッチを長押しする、撮影・再生切替スイッチを複数回短押しするなど、撮影・再生切替スイッチの通常操作（通常の長さで一回押下）と区別可能なものが挙げられる。
【００６０】
本処理ステップＳ１６にて再生モードから撮影モードへの切り替え時に特定の操作が行われていないと判定された場合（Ｓ１６：ＮＯ）、処理ステップＳ１０（モード判定）に戻る。
【００６１】
［図２のＳ１７（装着レンズの判定）］
本処理ステップＳ１７は、処理ステップＳ１６（特定の操作の判定）にて再生モードから撮影モードへの切り替え時に特定の操作が行われていたと判定された場合（Ｓ１６：ＹＥＳ）に実行される。本処理ステップＳ１７では、カメラボディ１００にレンズが装着されているか否か、カメラボディ１００にレンズが装着されている場合には対応レンズ又非対応レンズであるかが判定される。
【００６２】
本処理ステップＳ１７にてカメラボディ１００にレンズが装着されていないと判定された場合（Ｓ１７：レンズ無し）、処理ステップＳ１０（モード判定）に戻る。
【００６３】
［図２のＳ１８（取得要求コマンドＣ２の送信）］
本処理ステップＳ１８は、処理ステップＳ１７（装着レンズの判定）にてカメラボディ１００に対応レンズが装着されていると判定された場合（Ｓ１７：対応レンズ）に実行される。本処理ステップＳ１８では、取得要求コマンドＣ２がレンズＣＰＵ２０４に送信される。
【００６４】
レンズＣＰＵ２０４は、カメラＣＰＵ１０４により取得要求コマンドＣ２を受信すると、内部メモリ２０４ｂに記憶されている目標位置情報を読み出してカメラＣＰＵ１０４に送信する。また、レンズＣＰＵ２０４は、ズーム位置センサ２１２ａの出力に基づいてズームレンズ２０６ａの位置を逐次検出すると共に、フォーカス位置センサ２１２ｂの出力に基づいてフォーカスレンズ２０６ｂの位置を逐次検出し、検出された各種レンズの現在位置情報をカメラＣＰＵ１０４に逐次送信する。
【００６５】
［図２のＳ１９（レンズ位置情報の記憶）］
本処理ステップＳ１９では、レンズＣＰＵ２０４より受信した目標位置情報が内部メモリ１０４ｂに記憶されると共に、各種レンズの現在位置情報が内部メモリ１０４ｂに逐次更新記憶される。
【００６６】
［図２のＳ２０（レンズ位置情報の記憶）］
本処理ステップＳ２０は、処理ステップＳ１７（装着レンズの判定）にてカメラボディ１００に非対応レンズが装着されていると判定された場合（Ｓ１７：非対応レンズ）に実行される。本処理ステップＳ２０では、レンズＣＰＵ２０４より逐次送信される各種レンズの現在位置情報が内部メモリ１０４ｂに逐次更新記憶される。なお、目標位置情報は、処理ステップＳ１４（レンズ位置情報の取得）の実行時に内部メモリ１０４ｂに記憶されている。
【００６７】
［図２のＳ２１（レンズ情報の表示）］
本処理ステップＳ２１では、レンズ情報が表示される。なお、特定の表示切替操作（キー長押しやレリーズ操作等）が行われると、レンズ情報の表示／非表示が切り替わる。図３に、本処理ステップＳ２１の詳細なフローを示す。
【００６８】
・図３のＳ２１ａ
本処理ステップＳ２１ａでは、内部メモリ１０４ｂに記憶されている目標位置情報に基づいて目標情報がＬＣＤ１２４の表示画面に表示されると共に、逐次更新記憶される各種レンズの現在位置情報に基づいて現在情報がＬＣＤ１２４の表示画面に表示される。
【００６９】
図４（ａ）に、レンズ情報の表示画面例を示す。図４（ａ）に示されるように、ＬＣＤ１２４の表示画面には、焦点距離情報（図中「ＺＯＯＭ」）として目標情報（図中「ＴＧＴ  ５０ｍｍ」）及び現在情報（図中「ＣＲＮＴ  ２５ｍｍ」）が表示されると共に、ピント位置情報（図中「ＦＯＣＵＳ」）として目標情報（図中「ＴＧＴ  １０ｍ」）及び現在情報（図中「ＣＲＮＴ  ０．５ｍ」）が表示される。
【００７０】
・図３のＳ２１ｂ
本処理ステップＳ２１ｂでは、ズーム操作が行われたか否かが判定される。本処理ステップＳ２１ｂにてズーム操作が行われていないと判定された場合（Ｓ２１ｂ：ＮＯ）、本フローチャートは処理ステップＳ２１ｅに進む。
【００７１】
・図３のＳ２１ｃ
本処理ステップＳ２１ｃは、処理ステップＳ２１ｂにてズーム操作が行われたと判定された場合（Ｓ２１ｂ：ＹＥＳ）に実行される。本処理ステップＳ２１ｃでは、ズームレンズ２０６ａの目標位置情報とズーム操作後のズームレンズ２０６ａの現在位置情報とが一致するか否かが判定される。本処理ステップＳ２１ｃにてズームレンズ２０６ａの目標位置情報と現在位置情報とが一致しないと判定された場合（Ｓ２１ｃ：ＮＯ）、本フローチャートは処理ステップＳ２１ｅに進む。
【００７２】
・図３のＳ２１ｄ
本処理ステップＳ２１ｄは、処理ステップＳ２１ｃにてズームレンズ２０６ａの目標位置情報とズーム操作後のズームレンズ２０６ａの現在位置情報とが一致すると判定された場合（Ｓ２１ｃ：ＹＥＳ）に実行される。本処理ステップＳ２１ｄでは、撮影レンズ２００の焦点距離が前回の撮影モード時に設定されていた焦点距離に戻ったことを示す所定の復帰情報がＬＣＤ１２４の表示画面に表示される。
【００７３】
図４（ｂ）に、ズームレンズ２０６ａの目標位置情報と現在位置情報とが一致した場合の表示画面例を示す。図４（ｂ）の例では、焦点距離の復帰情報として「ＯＫ！！」が表示される。
【００７４】
・図３のＳ２１ｅ
本処理ステップＳ２１ｅでは、フォーカス操作が行われたか否かが判定される。本処理ステップＳ２１ｅにてフォーカス操作が行われていないと判定された場合（Ｓ２１ｅ：ＮＯ）、本フローチャートは処理ステップＳ２１ｈに進む。
【００７５】
・図３のＳ２１ｆ
本処理ステップＳ２１ｆは、処理ステップＳ２１ｅにてフォーカス操作が行われたと判定された場合（Ｓ２１ｅ：ＹＥＳ）に実行される。本処理ステップＳ２１ｆでは、フォーカスレンズ２０６ｂの目標位置情報とフォーカス操作後のフォーカスレンズ２０６ｂの現在位置情報とが一致するか否かが判定される。本処理ステップＳ２１ｆにてフォーカスレンズ２０６ｂの目標位置情報と現在位置情報とが一致しないと判定された場合（Ｓ２１ｆ：ＮＯ）、本フローチャートは処理ステップＳ２１ｈに進む。
【００７６】
・図３のＳ２１ｇ
本処理ステップＳ２１ｇは、処理ステップＳ２１ｆにてフォーカスレンズ２０６ｂの目標位置情報とフォーカス操作後のフォーカスレンズ２０６ｂの現在位置情報とが一致すると判定された場合（Ｓ２１ｆ：ＹＥＳ）に実行される。本処理ステップＳ２１ｇでは、撮影レンズ２００のピント位置が前回の撮影モード時に設定されていたピント位置に戻ったことを示す所定の復帰情報がＬＣＤ１２４の表示画面に表示される。
【００７７】
図４（ｃ）に、フォーカスレンズ２０６ｂの目標位置情報と現在位置情報とが一致した場合の表示画面例を示す。図４（ｃ）の例では、ピント位置の復帰情報として「ＯＫ！！」が表示される。
【００７８】
なお、目標情報と現在情報との両方の表示は必須ではない。例示的には、目標情報に代えて、操作すべき方向が表示されてもよい。一例として、目標の焦点距離が５０ｍｍで、現在の焦点距離が２５ｍｍである場合を考える。この場合、操作すべき方向として「ＴＥＬＥ」が表示される。ズーム操作により現在の焦点距離が５０ｍｍに設定されると、「ＴＥＬＥ」の表示が「ＯＫ！！」に切り替わる。
【００７９】
別の例では、操作すべき方向だけが表示されてもよい。
【００８０】
また、図４（ｄ）に例示されるように、目標情報と現在情報とが数値ではなくインジケータで表示されてもよい。この場合に、目標位置情報と現在位置情報とが一致すると、図４（ｅ）に示されるように、インジケータの目盛が満杯になると共に「ＯＫ！！」が表示される。
【００８１】
・図３のＳ２１ｈ
本処理ステップＳ２１ｈでは、本フローチャートを終了させるための所定の終了操作が行われたか否かが判定される。所定の終了操作が行われていないと判定された場合（Ｓ２１ｈ：ＮＯ）、本フローチャートは処理ステップＳ２１ａに戻る。
【００８２】
・図３のＳ２１ｉ
本処理ステップＳ２１ｉは、処理ステップＳ２１ｈにて所定の終了操作が行われたと判定された場合（Ｓ２１ｈ：ＹＥＳ）に実行される。本処理ステップＳ２１ｉでは、目標情報、現在情報等のレンズ情報の表示が消去され、フラグＦ１が「０」に設定される。次いで、本フローチャートは、図２の処理ステップＳ１０（モード判定）に戻る。
【００８３】
このように、本実施形態によれば、事前に記憶された目標位置情報に基づいて所定のレンズ情報がＬＣＤ１２４の表示画面に表示される。ユーザは、表示画面上のレンズ情報を視認しながら撮影レンズ２００を操作することにより、撮影レンズ２００の焦点距離やピント位置を前回の撮影モード時の状態に戻すことができる。
【００８４】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【００８５】
上記の実施形態では、表示手段を備えるタイプの撮影装置を例示したが、表示手段を備えないタイプの撮影装置も本発明の範疇である。表示手段を備えないタイプの撮影装置を使用する場合には、別の装置（スマートフォンやタブレット等の表示手段を備える装置）が取り付けられる。この場合、図４に例示されるレンズ情報が撮影装置から別の装置に出力され、別の装置の表示画面に表示される。
【００８６】
上記の実施形態では、撮影レンズ２００としてズームレンズを例示しているが、単焦点レンズも本発明の範疇である。この場合、レンズ情報として、ピント位置だけが表示される。
【００８７】
図５に、本発明の別の一実施形態に係るレンズ情報表示処理のフローチャートを示す。別の一実施形態に係るレンズ情報表示処理は、処理ステップＳ１２’〜Ｓ１５’を除き、図２に示されるレンズ情報表示処理と同じである。ここでは、便宜上、処理ステップＳ１２’〜Ｓ１５’についてのみ説明を行う。
【００８８】
［図５のＳ１２’（モード判定）］
本処理ステップＳ１２’は、処理ステップＳ１１（フラグＦ１の判定）にてフラグＦ１が「０」であると判定された場合（Ｓ１１：０）に実行される。本処理ステップＳ１２’では、現在のモードが再生モードであるか否かが判定される。撮影モードから再生モードへの切り替えが行われると、本処理ステップＳ１２’にて現在のモードが再生モードであると判定されて（Ｓ１２’：ＹＥＳ）、処理ステップＳ１３’（装着レンズの判定）に進む。
【００８９】
［図５のＳ１３’（装着レンズの判定）］
本処理ステップＳ１３’では、カメラボディ１００にレンズが装着されているか否か、カメラボディ１００にレンズが装着されている場合には対応レンズ又非対応レンズであるかが判定される。
【００９０】
本処理ステップＳ１３’にてカメラボディ１００にレンズが装着されていないと判定された場合（Ｓ１３’：レンズ無し）、処理ステップＳ１０（モード判定）に戻る。また、本処理ステップＳ１３’にてカメラボディ１００に対応レンズが装着されていると判定された場合（Ｓ１３’：対応レンズ）、処理ステップＳ１４’（記憶コマンドＣ１の送信）に進む。
また、本処理ステップＳ１３’にてカメラボディ１００に非対応レンズが装着されていると判定された場合（Ｓ１３’：非対応レンズ）、処理ステップＳ１５’（レンズ位置情報の取得）に進む。
【００９１】
［図５のＳ１４’（記憶コマンドＣ１の送信）］
本処理ステップＳ１４’では、記憶コマンドＣ１がレンズＣＰＵ２０４に送信されると共に、フラグＦ１が「１」に設定される。
【００９２】
［図５のＳ１５’（レンズ位置情報の取得）］
本処理ステップＳ１５’では、レンズＣＰＵ２０４から逐次送信される各種レンズ位置情報がカメラＣＰＵ１０４の内部メモリ１０４ｂに逐次更新記憶されると共に、フラグＦ１が「１」に設定される。
【００９３】
別の一実施形態によれば、撮影モードから再生モードへの切り替えが行われると、記憶コマンドＣ１の送信（処理ステップＳ１４’）やレンズ位置情報の受信（処理ステップＳ１５’）等の通信が発生する。言い換えると、撮影モードから再生モードへの切り替えが行われない限り、これらの通信が発生しないため、例えば、各ＣＰＵの処理負荷が抑えられたり、ＡＦ等の通信に多くのリソースを費やすことによってＡＦを高速化させたりすることができるといった効果が得られる。
【符号の説明】
【００９４】
１  撮影装置
１００  装置本体（カメラボディ）
１０４  カメラＣＰＵ
１０４ａ  通信部
１０４ｂ  内部メモリ
１０６  操作部
１０８  ＲＯＭ
１１０  シャッタ
１１２  固体撮像素子
１１４  信号処理回路
１１６  画像処理エンジン
１１８  バッファメモリ
１２０  カード用インタフェース
１２２  ＬＣＤ制御回路
１２４  ＬＣＤ
２００  撮影レンズ
２０４  レンズＣＰＵ
２０４ａ  通信部
２０４ｂ  内部メモリ
２０６  レンズ系
２０６ａ  ズームレンズ
２０６ｂ  フォーカスレンズ
２０８  絞り
２１０ａ  ズーム操作環
２１０ｂ  フォーカス操作環
２１２ａ  ズーム位置センサ
２１２ｂ  フォーカス位置センサ
２１４  駆動部
３００  メモリカード
【図１】
2018004836.tif 000003
【図２】
2018004836.tif 000004
【図３】
2018004836.tif 000005
【図４】
2018004836.tif 000006
【図５】
2018004836.tif 000007